(57)【特許請求の範囲】
【請求項１】
電子メール送信機能を有する携帯端末装置であって、
電子メールの内容を示す情報と、宛先を示す情報と、電子メールを自動で送信するか否かを示す設定情報とを含むメール情報を予め登録する登録手段と、
前記登録手段が予め登録するメール情報の呼び出し指示を入力する指示入力手段と、
前記指示入力手段によりメール情報の呼び出し指示が入力された場合に、前記メール情報に含まれる内容を示す情報と宛先を示す情報とに基づいて電子メールを作成するメール作成手段と、
前記メール情報に含まれる設定情報が電子メールを自動で送信する旨を示していた場合に、前記メール作成手段が作成した電子メールを自動で送信するメール送信手段とを備え、
前記メール作成手段は、前記メール情報に含まれる設定情報が電子メールを自動で送信しない旨を示していた場合には、作成した電子メールを作成中の電子メールとして表示する
ことを特徴とする携帯端末装置。
【請求項２】
一連のキー操作を示すキー操作情報を記憶するキー操作情報記憶手段と、
ユーザによる一連のキー操作に従って、キー操作情報を前記キー操作情報記憶手段に記憶させるキー操作情報登録手段とを備え、
指示入力手段は、前記キー操作情報記憶手段に予め記憶されるキー操作情報に示されるキー操作に従って、前記メール情報の呼び出し指示を入力する
請求項１記載の携帯端末装置。
【請求項３】
受信した電子メールから文字列を読み込み、読み込んだ文字列を解析する文字列解析手段を備え、
メール作成手段は、前記文字列解析手段の解析結果に基づいて、電子メールを作成する
請求項１記載の携帯端末装置。
【請求項４】
指示入力手段は、少なくとも特定のキー操作、特定のデータを含む電子メールの受信、特定のデータを含むファイルの読み込み、予め記憶されるキー操作の繰り返し、予めメール情報の呼び出し指示として登録されたショートカットの実行、予めメール情報の呼び出し指示として登録された音声による呼び出しのいずれかによって、メール情報の呼び出し指示を入力する
請求項１から請求項３のうちのいずれか１項に記載の携帯端末装置。
【請求項５】
登録手段は、メール内容の作成方法を示す情報を含むメール情報を予め登録し、
前記メール情報に含まれるメール内容の作成方法を示す情報に基づいて、少なくとも測定装置、撮影装置、録音装置のいずれかの装置を作動させる装置作動手段と、
前記測定装置が測定した測定データ、前記撮影装置が撮影した画像データ、前記録音装置が録音した音データのいずれかのデータを入力するデータ入力手段とを備え、
メール作成手段は、前記装置作動手段が作動させた結果、前記データ入力手段に入力されるデータを含む電子メールを作成する
請求項１から請求項４のうちのいずれか１項に記載の携帯端末装置。
【請求項６】
メール作成手段は、装置作動手段が作動させた結果、前記データ入力手段に入力されるデータを含むファイルを添付ファイルとして有する電子メールを作成する
請求項５記載の携帯端末装置。
【請求項７】
センサから所定の検出信号を入力する検出信号入力手段を備え、
登録手段は、前記検出信号に対応する情報であって、電子メールを作成する条件を示す作成条件を含むメール情報を予め登録し、
メール作成手段は、前記検出信号入力手段によって入力される検出信号が前記メール情報に含まれる作成条件に合致した場合に、電子メールを作成する
請求項１から請求項６のうちのいずれか１項に記載の携帯端末装置。
【請求項８】
検出信号入力手段は、温度測定器から温度を入力し、
登録手段は、前記温度測定器の温度が所定の温度以上である場合に電子メールを作成する条件とする作成条件を含むメール情報を登録し、
メール作成手段は、前記温度測定器が測定した温度が前記メール情報に含まれる作成条件に合致した場合に、電子メールを作成する
請求項７記載の携帯端末装置。
【請求項９】
検出信号入力手段は、医療機器から警報状態を入力し、
登録手段は、前記医療機器が警報発生を示す警報状態を検出した際に電子メールを作成する条件とする作成条件を含むメール情報を登録し、
メール作成手段は、前記受信手段が受信した警報状態が前記メール情報に含まれる作成条件に合致した場合に、電子メールを作成する
請求項７記載の携帯端末装置。
【請求項１０】
携帯端末装置が、電子メールの内容を示す情報と、宛先を示す情報と、電子メールを自動で送信するか否かを示す設定情報とを含むメール情報を予め登録し、
携帯端末装置が、予め登録する前記メール情報の呼び出し指示を入力し、
携帯端末装置が、メール情報の呼び出し指示が入力された場合に、前記メール情報に含まれる内容を示す情報と宛先を示す情報とに基づいて電子メールを作成し、
携帯端末装置が、前記メール情報に含まれる設定情報が電子メールを自動で送信する旨を示していた場合に、作成した電子メールを自動で送信し、
携帯端末装置が、前記メール情報に含まれる設定情報が電子メールを自動で送信しない旨を示していた場合には、作成した電子メールを作成中の電子メールとして表示する
ことを特徴とするメール自動送信方法。
【請求項１１】
携帯端末装置が、メール内容の作成方法を示す情報を含むメール情報を予め登録し、
携帯端末装置が、前記メール情報に含まれるメール内容の作成方法を示す情報に基づいて、少なくとも測定装置、撮影装置、録音装置のいずれかの装置を作動させ、
携帯端末装置が、前記測定装置が測定した測定データ、前記撮影装置が撮影した画像データ、前記録音装置が録音した音データのいずれかのデータを入力し、
携帯端末装置が、前記いずれかの装置を作動させた結果、入力されるデータを含む電子メールを作成する
請求項１０記載のメール自動送信方法。
【請求項１２】
携帯端末装置は、センサから所定の検出信号を入力し、
携帯端末装置が、前記検出信号に対応する情報であって、電子メールを作成する条件を示す作成条件を含むメール情報を予め登録し、
携帯端末装置が、入力される検出信号が前記メール情報に含まれる作成条件に合致した場合に、電子メールを作成する
請求項１０または請求項１１に記載のメール自動送信方法。
【発明の詳細な説明】
【技術分野】
【０００１】
本発明は、メール自動送信機能を備えた携帯端末装置に関する。また、携帯端末装置がメールを自動送信するメール自動送信方法に関する。
【背景技術】
【０００２】
携帯電話機から同一内容、または同一宛先のメールを送信することは少なくない。一般に、携帯電話機を用いてメールを作成して送信するには、相手先アドレスやタイトル、本文、添付ファイル等の複数の入力項目への入力が必要のため、時間や手間がかかる。そのような場合に、特定の項目が入力されているメールの作成、または全項目が入力されているメールの作成、または全項目が入力されているメールの送信を、簡単な操作により行いたいという要望がある。また、遠隔から操作しカメラ撮影を行う等の防災対策は、多大なコストがかかる。
【０００３】
メール送信にかかる時間や手間を軽減するために、例えば、特許文献１には、特定の送信イベントが発生した場合に、予め設定しておいた送信データを予め設定しておいた送信先アドレスへ自動で送信する通信機器が記載されている。また、特許文献１に記載の通信機器では、送信指定日を登録することによって、特定の曜日以外には自動メール送信をしないようにする設定も可能である。
【０００４】
また、自動メール送信機能を具備した携帯端末装置として、特許文献２には、事前に設定したコマンド文字列を含む電子メールを受信した場合に、自動でメールを送信する携帯端末装置が記載されている。特許文献２に記載の携帯端末装置は、紛失または盗難にあった際などに、予め設定した電子メールアドレスへ現在の登録基地局、及び付属カメラでの撮影画像を自動送信することができる。
【０００５】
【特許文献１】特開２００４−６２３２０（段落０００４−０００５）
【特許文献２】特開２００４−１１２１２６（段落００１４−００１７）
【発明の開示】
【発明が解決しようとする課題】
【０００６】
しかしながら、特許文献１に記載の通信機器では、予め設定しておいた送信データを編集する機会を与えることなく送信してしまう。このため、例えば、特定の項目のみ同一の内容のメールを頻繁に送信する場合に、その特定の項目以外の項目だけを編集してメールを送信することはできない。また、添付ファイルのみをかえて送信したい場合に、添付ファイルだけを添付しなおしてメールを送信することはできない。従って、同一内容または同一宛先のメールから一部内容や添付ファイルを編集してからメールを送信したい場合には、新たに全入力項目を入力しなおしてから、送信しなけらばならない。
【０００７】
また、特許文献２に記載の携帯電話装置は、紛失や盗難にあった際などに、携帯端末機の追跡および不正使用を防止できるにすぎない。そのため、遠隔で操作できても決められた動作（自動送信の開始、不正防止機能の開始）しか行わせることができず、例えば、送信してほしい内容や宛先を指定することができない。
【０００８】
そこで、本発明は、同一内容や同一宛先のメールを自動で作成し、作成したメールを編集でき、編集が不要の場合は自動で送信できる携帯端末装置およびメール自動送信方法を提供することを目的とする。
【課題を解決するための手段】
【０００９】
本発明による携帯端末装置は、電子メール送信機能を有する携帯端末装置であって、電子メールの内容を示す情報と、宛先を示す情報と、電子メールを自動で送信するか否かを示す設定情報とを含むメール情報を予め登録する登録手段と、前記登録手段が予め登録するメール情報の呼び出し指示を入力する指示入力手段と、前記指示入力手段によりメール情報の呼び出し指示が入力された場合に、前記メール情報に含まれる内容を示す情報と宛先を示す情報とに基づいて電子メールを作成するメール作成手段と、前記メール情報に含まれる設定情報が電子メールを自動で送信する旨を示していた場合に、メール作成手段が作成した電子メールを自動で送信するメール送信手段とを備え、メール作成手段は、メール情報に含まれる設定情報が電子メールを自動で送信しない旨を示していた場合には、作成した電子メールを作成中の電子メールとして表示することを特徴とする。
【００１０】
また、本発明による携帯端末装置は、一連のキー操作を示すキー操作情報を記憶するキー操作情報記憶手段と、ユーザによる一連のキー操作に従って、キー操作情報を前記キー操作情報記憶手段に記憶させるキー操作情報登録手段とを備え、指示入力手段は、前記キー操作情報記憶手段に予め記憶されるキー操作情報に示されるキー操作に従って、前記メール情報の呼び出し指示を入力してもよい。
【００１１】
また、本発明による携帯端末装置は、受信した電子メールから文字列を読み込み、読み込んだ文字列を解析する文字列解析手段を備え、メール作成手段は、前記文字列解析手段の解析結果に基づいて、電子メールを作成してもよい。
【００１２】
また、指示入力手段は、少なくとも特定のキー操作、特定のデータを含む電子メールの受信、特定のデータを含むファイルの読み込み、予め記憶されるキー操作の繰り返し、予めメール情報の呼び出し指示として登録されたショートカットの実行、予めメール情報の呼び出し指示として登録された音声による呼び出しのいずれかによって、メール情報の呼び出し指示を入力してもよい。
【００１３】
また、登録手段は、メール内容の作成方法を示す情報を含むメール情報を予め登録し、前記メール情報に含まれるメール内容の作成方法を示す情報に基づいて、少なくとも測定装置、撮影装置、録音装置のいずれかの装置を作動させる装置作動手段と、前記測定装置が測定した測定データ、前記撮影装置が撮影した画像データ、前記録音装置が録音した音データのいずれかのデータを入力するデータ入力手段とを備え、メール作成手段は、前記装置作動手段が作動させた結果、前記データ入力手段に入力されるデータを含む電子メールを作成してもよい。測定装置とは、例えば、赤外線温度測定器、赤外線距離測定器、臭気指数測定器である。撮影装置とは、例えば、カメラ装置、ビデオ装置である。録音装置は、例えば、マイクロフォンである。また、測定装置、撮影装置、録音装置は、携帯端末装置が備えていてもよいし、外部装置として携帯端末装置に接続されていてもよい。
【００１４】
また、例えば、メール作成手段は、装置作動手段が作動させた結果、前記データ入力手段に入力されるデータを含むファイルを添付ファイルとして有する電子メールを作成してもよい。
【００１５】
また、本発明による携帯端末装置は、センサから所定の検出信号を入力する検出信号入力手段を備え、登録手段は、前記検出信号に対応する情報であって、電子メールを作成する条件を示す作成条件を含むメール情報を予め登録し、メール作成手段は、前記検出信号入力手段によって入力される検出信号が前記メール情報に含まれる作成条件に合致した場合に、電子メールを作成してもよい。センサとは、例えば、赤外線センサ、臭気センサ、音センサ、距離センサである。
【００１６】
また、例えば、検出信号入力手段は、温度測定器から温度を入力し、登録手段は、前記温度測定器の温度が所定の温度以上である場合に電子メールを作成する条件とする作成条件を含むメール情報を登録し、メール作成手段は、前記温度測定器が測定した温度が前記メール情報に含まれる作成条件に合致した場合に、電子メールを作成してもよい。
【００１７】
また、例えば、検出信号入力手段は、医療機器から警報状態を入力し、登録手段は、前記医療機器が警報発生を示す警報状態を検出した際に電子メールを作成する条件とする作成条件を含むメール情報を登録し、メール作成手段は、前記受信手段が受信した警報状態が前記メール情報に含まれる作成条件に合致した場合に、電子メールを作成してもよい。
【００１８】
また、本発明によるメール自動送信方法は、携帯端末装置が、電子メールの内容を示す情報と、宛先を示す情報と、電子メールを自動で送信するか否かを示す設定情報とを含むメール情報を予め登録し、携帯端末装置が、予め登録する前記メール情報の呼び出し指示を入力し、携帯端末装置が、メール情報の呼び出し指示が入力された場合に、前記メール情報に含まれる内容を示す情報と宛先を示す情報とに基づいて電子メールを作成し、携帯端末装置が、前記メール情報に含まれる設定情報が電子メールを自動で送信する旨を示していた場合に、作成した電子メールを自動で送信し、携帯端末装置が、メール情報に含まれる設定情報が電子メールを自動で送信しない旨を示していた場合には、作成した電子メールを作成中の電子メールとして表示することを特徴とする。
【発明の効果】
【００１９】
本発明によれば、電子メールの内容を示す情報を含むメール送信情報を予め登録し、メール情報の呼び出し指示の入力によって、予め登録したメール送信情報に基づいた電子メールを作成できるので、１つの指示を与えるだけで容易にメールを自動作成することができる。また、電子メールを送信するか否かを示す設定情報に基づいて、電子メールを送信するか否かを決定するので、自動で作成した電子メールの内容を編集してから送信することができる。従って、特定の項目のみ同一の内容の電子メールなどを容易に作成することができ、より利便性のある携帯端末装置を提供できる。
【００２０】
また、一連のキー操作を示すキー操作情報を記憶し、予め記憶するキー操作情報に従ってキー操作を繰り返すことによって、メール情報の呼び出し指示を入力することにより、複数操作が必要なメール情報の呼び出し指示を、自動で変換されるキー操作の繰り返しによって入力することができ、メールの作成および送信の操作をより短縮することができる。
【００２１】
また、受信した電子メールから読み込んだ文字列を解析し、解析した文字列に基づいて、電子メールを作成することができるので、遠隔指示による複数パターンのメールの自動作成および送信が可能である。
【００２２】
また、例えば、メール情報の呼び指し指示は、特定のキー操作や、特定のデータを含むメールの受信、予め登録したショートカットの実行、予め登録した音声呼び出しによって入力することができるので、簡単な操作だけでなくや遠隔からの指示によっても自動でメールを作成および送信することが出来る。
【００２３】
また、測定装置や撮影装置や録音装置のいずれかの装置を作動させ、作動させた結果装置から入力される制御データを記憶したファイルを添付した電子メールを作成することができるので、手軽な調査装置として利用できる。
【００２４】
また、センサから検出信号を入力し、入力する検出信号が予め登録される作成条件に合致した場合に、電子メールを作成することができるので、ユーザの周囲を監視する手軽な監視装置、通報装置として利用できる。
【発明を実施するための最良の形態】
【００２５】
実施の形態１．
まず、本発明の概要を説明する。本発明による携帯端末装置は、メール送信指示操作によって、予め登録されたメール内容と同一内容（宛先や添付ファイルの内容も含む）となるメールの作成や送信をする。また、携帯端末装置は、文字列を読み込み、読み込んだ文字列に従って、上記メール送信指示と同様の動作をすることも可能である。また、携帯端末装置は、受信したメールの文字列に従っても、上記メール送信指示と同様の動作をすることができる。また、携帯端末装置は、予め登録した日時に、自動で上記メール送信指示と同様の動作をすることができる。また、携帯端末装置は、メール送信内容登録指示によって、上記日時やメールの内容を登録することができる。また、読み込んだ文字列や受信したメールの文字列に従って、上記日時やメールの内容を登録することも可能である。
【００２６】
また、携帯端末装置は、遠隔での写真撮影、動画撮影、録音、温度測定、湿度測定、距離測定、臭気測定、明度測定、および気流測定などのうちの１つ以上の動作を行い、その結果をタイトルや本文に記載する（含む）ように、またはファイルに記載して（結果を含むファイルを作成して）添付ファイルとして送信するようにメールの内容を登録することができる。また、携帯端末装置は、温度センサや赤外線センサなどのセンサの検出信号に基づいて、メール送信指示操作と同様の動作をさせることができる。もちろん、これら機能は組み合わせて用いることも可能である。
【００２７】
以下、本発明の第１の実施の形態を図面を参照して説明する。図１は、本発明による携帯端末装置の構成例を示すブロック図である。携帯端末機１は、例えば、プログラムに従って動作する携帯電話機やＰＤＡなどの携帯型情報処理端末である。図１に示す携帯端末機１は、キー解析部１０１と、キー操作割当て部１０２と、メール受信部１０３と、メール解析部１０４と、メール送信情報記憶部１０５と、メール作成部１０６と、メール送信部１０７と、装置制御部１０８とを備える。また、携帯端末機１は、割当て情報データベース１１と、メール送信情報データベース１２とを記憶する記憶領域を備える。また、携帯端末機１は、録音できるマイク装置２１（例えば、マイクロフォン）と、静止画像を撮影できるカメラ装置２２と、動画像を撮影できるビデオ装置２３とを備えていてもよい。
【００２８】
キー解析部１０１は、携帯端末機１が備えるテンキーその他機能キーの入力信号を解析し、現在の入力状態および入力されたキーに応じて入力内容を特定し、特定した入力内容の通知および各種制御の指示を行う。キー解析部１０１が特定する入力内容は、押下キーの内容そのままの場合もあるが、ショートカットキー（同時押しや長押しした場合に異なる意味をもつキーや、メールボタンのように特定の機能用に設けられたキー）の内容や、複数キーの連続入力によって意味をなす操作内容（メニューキーの後にメニュー番号を連続入力する等。）や、選択操作によって入力される内容の場合もある。
【００２９】
また、キー解析部１０１は、入力内容として少なくともショートカットの登録、ショートカットの呼び出し、キー操作の記憶開始、キー操作の記憶終了、キー操作の繰り返し、後述するメール送信情報の登録およびメール送信情報の呼び出しの指示を示す指示情報を認識し、上記指示情報が入力された場合には各入力内容に応じた制御の指示を出す。ショートカットとは、よく使う機能を簡単な操作で呼び出せるようにしたメニューであって、例えば、メール作成中やインターネット閲覧中に、現在の状態をショートカットに登録することで、その作成状態やアクセス先ＵＲＬ等を保持した状態をいつでもショートカットの呼び出し操作により呼び出すことができる。また、ショートカットは、現在の状態の呼び出し過程を登録することも可能である。例えば、メール送信情報の登録中やメール送信情報の呼び出し中に、その呼び出し過程をショートカットに登録することで、現在作業中のメール送信情報へのリンクを保持した登録や呼び出しの状態をいつでも呼び出すことができる。
【００３０】
また、キー解析部１０１は、キー操作の繰り返しの指示を示す指示情報が入力された場合には、キー操作の記憶開始、終了の指示によって予め記憶したキー操作が入力されたものとして入力内容を変換し、変換後の入力内容に応じた制御の指示を出してもよい。また、キー解析部１０１は、ショートカットの呼び出しの指示を示す入力内容が入力された場合には、同様に、ショートカットの登録の指示によってショートカットとして登録した時の状態に移行するための指示および情報が入力されたものとして入力内容を変換し、変換後の入力内容に応じた制御の指示を出してもよい。
【００３１】
キー操作割当て部１０２は、キー解析部１０１からのキー操作の記録開始、および記憶終了の指示を受けて、キー操作の割り当ての管理を行う。キー操作割当て部１０２は、キー操作の開始から終了までの操作の間に入力されたキー操作を、繰り返し可能な一連のキー操作を示す情報であるキー操作情報に割り当てる。キー操作割当て部１０２は、割り当てたキー操作情報を割当て情報データベース１１に登録する。割当て情報データベース１１には、キー操作情報を複数割り当て可能とし、それぞれを識別可能な識別情報（例えば、キー操作１、キー操作２）に対応づけて記憶する。
【００３２】
また、キー操作割当て部１０２は、キー解析部１０１からのショートカットの登録の指示を受けて、ショートカットの割り当ての管理を行う。キー操作割当て部１０２は、ショートカットの登録の指示を受けた際に実行している状態を示す情報を、ショートカット情報に割り当てる。キー操作割当て部１０２は、割当てたショートカット情報を情報データベース１１に登録する。割当て情報データベース１１には、ショートカット情報を複数割り当て可能とし、それぞれを識別可能な識別情報（例えば、ショートカット１、ショートカット２）に対応づけて記憶する。
【００３３】
メール受信部１０３は、携帯端末機１が備える通信インタフェース（図示せず。）を介して、自身宛ての電子メールを受信する。
【００３４】
メール解析部１０４は、メール受信部１０３が受信した電子メールから送信者やタイトル、本文、添付ファイルに含まれる文字列を読み込んで内容を解析し、遠隔制御の指示を示す指示情報を認識した場合に、各種制御の指示を行う。メール解析部１０４は、例えば、読み込んだ文字列を予め記憶された単語辞書に基づいて認識処理することによって、メール内容として少なくともショートカットの呼び出し、キー操作の繰り返し、メール送信情報の登録、およびメール送信情報の呼び出しを示すメール内容を認識する。メール受信部１０３は、上記メール内容を受信した場合には各メール内容に応じた制御の指示を出す。ショートカットの呼び出し、およびキー操作の繰り返しを示すメール内容を受信した場合には、メール解析部１０４は、キー解析部１０１と同様に、割当て情報データベース１１に記憶されているショートカット情報およびキー操作情報に基づいてメール内容を変換して、変換した結果に応じた制御の指示を出してもよい。
【００３５】
メール送信情報記憶部１０５は、キー解析部１０１またはメール解析部１０４からメール送信情報の登録の指示を受けて、メール送信情報をメール送信情報データベース１２に登録する。メール送信情報とは、メールの自動作成および送信に関する情報であって、図２に示すように、タイトル情報と、宛先情報と、本文情報と、送信者情報と、添付ファイル情報と、送信フラグと、日時フラグを含む。
【００３６】
図２は、メール送信情報から作成されるメールの説明図である。タイトル情報は、作成するメールのタイトルとして入力する情報である。宛先情報は、作成するメールの宛先（例えば、送信先アドレス）を示す情報である。本文情報は、作成するメールの本文として入力する情報である。送信者情報は、作成するメールの送信元を示す情報である。添付ファイル情報は、作成するメールに添付するファイルの情報であって、添付ファイルの作成方法を示す情報を含んでいてもよい。ここで、添付ファイルの作成方法を示す情報とは、撮影装置や録音装置を作動させて取得するデータをファイルに含める方法を示す情報であって、例えば、ファイル名、データの種類（例えば、画像（動画を含む）、音声）、データの取得条件（例えば、動画や音声の場合に、録画時間、録音時間を指定する。）を含んでいてもよい。送信フラグは、作成したメールを自動で送信するか否かを示す情報である。日時フラグは、予め登録した日時に電子メールの自動作成（および送信）をするか否かを示す情報であって、自動作成する旨が登録されている場合には、別途登録されている日時（以下、登録日時という。）に自動でメールの作成および送信を行うことを示す情報である。
【００３７】
また、登録日時として、絶対的な日時だけでなく、相対的な日時（例えば、毎年所定の日、毎週所定曜日、毎日所定時間、所定時間毎）も指定できてもよい。例えば、登録日時を相対的な日時（例えば、毎週＊曜日＊時）とした場合には、現在日時が＊曜日の＊時であるか否かを判定することで、毎週＊曜日の＊時に定期的にメール送信することができる。ここで＊は、任意の曜日、または任意の時刻を示す（時刻の単位は時でなくてもよい。例えば、時分であってもよい。）。また、例えば、登録日時を”＊時間毎”とした場合には、メール作成部１０６は、メール送信情報を登録した日時または前回自動作成および送信を行った日時から起算し、＊時間経過したか否かを判定することで、＊時間毎にメール送信することも可能である。ここで＊は、任意の時間数を示す（単位は、時間でなくてもよい）。メール送信情報データベース１２には、メール送信情報を複数割り当て可能とし、それぞれを識別可能な識別情報（例えば、メール識別情報１、メール識別情報２）に対応づけて記憶する。
【００３８】
メール作成部１０６は、キー解析部１０１またはメール解析部１０４からメール送信情報の呼び出しの指示を受けて、指定されたメール送信情報の内容に基づいてメールの自動作成および送信を行う。メール作成部１０６は、図２に示すように、メール送信情報データベース１２に記憶されているメール送信情報を参照し、まずメール送信情報のタイトル情報、宛先情報、本文情報、送信者情報を入力したメールを作成する。この際、メール送信情報が登録されていない項目については、何も入力していない状態でメールを作成する。
【００３９】
また、メール作成部１０６は、メール送信情報の添付ファイル情報が登録されている場合には、添付ファイル情報に基づいて特定される制御の指示を行う。例えば、携帯端末機１がマイク装置２１を備えている場合であって、データの種類が”音声”、データの取得条件が”＊秒”という添付ファイル情報が登録されている場合には、メール作成部１０６は、＊秒録音する旨の指示を装置制御部１０８へ出す。ここで＊は、任意の秒数を示す（単位は秒でなくてもよい）。同様に、例えば、携帯端末機１がカメラ装置２２を備えている場合であって、データの種類が”画像”という添付ファイル情報が登録されている場合には、メール作成部１０６は、画像撮影する旨の指示を装置制御部１０８へ出す。同様に、例えば、携帯端末機１がビデオ装置２３を備えている場合であって、データの種類が”画像（動画）”、データの取得条件が”＊秒”という添付ファイル情報が登録されている場合には、メール作成部１０６は、＊秒動画撮影する旨の指示を装置制御部１０８へ出す。
【００４０】
メール作成部１０６は、装置制御部１０９からの制御完了の報告を待って、図２に示すように、装置制御部１０８が取得したデータを保存したファイル（音声ファイルや画像ファイルや動画ファイル）をメールの添付ファイルとして作成したメールに入力する。
【００４１】
次に、メール作成部１０６は、メール送信情報の送信フラグに送信する旨の情報が登録されている場合には、作成したメールを送信するようメール送信部１０７にメール送信の指示を出す。
【００４２】
また、メール作成部１０６は、キー解析部１０１またはメール解析部１０４からメール送信情報の呼び出しの指示を受けて動作するだけでなく、定期的にメール送信情報データベース１２に記憶されているメール送信情報をチェックし、自律的に日時フラグに基づいたメールの自動作成および送信を行う。メール作成部１０６は、携帯端末機１が備える時計（図示せず。）から現在日時を取得し、登録日時と現在日時が一致した際に、または登録日時が相対的な日時である場合には登録日時から導出される日時と現在日時が一致した際に、メール送信情報の呼び出しの指示を受けた場合と同様の動作を行う。
【００４３】
メール送信部１０７は、メール作成部１０６から指示を受けて、携帯端末機１が備える通信インタフェース（図示せず。）を介して電子メールを送信する。
【００４４】
装置制御部１０８は、メール作成部１０６から制御の指示を受けて、携帯端末機１が備える各種装置の制御を行い、装置から制御結果のデータをメール作成部１０６へ入力する。例えば、１０秒録音する旨の指示を受けた場合には、装置制御部１０８は、携帯端末機１が備えるマイク装置を１０秒間作動させて音声データを生成させ、生成させた音声データを入力する。また、例えば、画像撮影する旨の指示を受けた場合には、装置制御部１０８は、携帯端末機１が備えるカメラ装置２１を作動させて画像データを生成させ、生成させた画像データを入力する。また、例えば、＊秒動画撮影する旨の指示を受けた場合には、装置制御部１０８は、携帯端末機１が備えるビデオ装置２３を＊秒間作動させて動画データを生成させ、生成させた動画データを入力してもよい。
【００４５】
本実施の形態において、キー解析部１０１、キー操作割当て部１０２、メール受信部１０３、メール解析部１０４、メール送信情報記憶部１０５、メール作成部１０６、メール送信部１０７、および装置制御部１０８は、プログラムに従って動作するＣＰＵによって実現される。また、割当て情報データベース１１およびメール送信情報データベース１２は、記憶装置によって実現される。なお、プログラムは、携帯端末機１が備える記憶装置（図示せず。）に記憶される。
【００４６】
次に、図３および図４に示すフローチャートを参照してメール自動送信機能付き携帯端末装置の動作について説明する。図３は、本発明による携帯端末機１の動作例（メール送信情報の登録、呼び出しの動作例）を示すフローチャートである。まず、携帯端末機１は、ユーザの操作に応じてメール送信情報の登録の指示を入力する（ステップＳ１）。例えば、ユーザによってメニュー画面からメール送信情報の識別情報を選択した上で登録を選択するようなキー操作が行われると、キー解析部１０１は、メール送信情報の登録の指示を入力する。キー解析部１０１は、ユーザの操作に応じて入力される入力信号（例えば、キーの入力信号）を解析し、入力内容がメール送信情報の登録の指示を示す指示情報であると認識し、メール送信情報記憶部１０５へ、メール送信情報の登録の指示を出す。
【００４７】
キー解析部１０１からメール送信情報の登録の指示を受けて、メール送信情報記憶部１０５は、メール送信情報をメール送信情報データベース１２に登録する（ステップＳ２）。メール送信情報記憶部１０５は、例えば、メール送信情報の各項目を入力させる登録用画面を表示し、ユーザにメール送信情報を入力させる。メール送信情報記憶部１０５は、ユーザの登録操作に応じて、登録用画面に入力された内容をメール送信情報としてメール送信情報データベース１２に登録してもよい。また、例えば、メール作成中に登録操作が行われた場合には、現在作成中のメールの内容をメール送信情報としてメール送信情報データベース１２に登録してもよい。
【００４８】
また、携帯端末機１は、ユーザの操作に応じてメール送信情報の呼び出しの指示を入力する（ステップＳ３）。例えば、メール送信情報の登録の指示と同様に、メニュー画面からメール送信情報の識別情報を選択した上で呼び出しを選択するようなキー操作が行われると、キー解析部１０１は、メール送信情報の呼び出しの指示を入力する。また、例えば、メール送信情報の呼び出しメニューがメニュー番号１に割り当てられている場合には、メニューボタンと数字の１とを連続入力するキー操作の後、呼び出すメール送信情報の識別情報を選択させるメール送信情報の呼び出し画面を表示し、ユーザが呼び出したいメール送信情報の識別情報を選択するようなキー操作が行われた場合に、メール送信情報の呼び出しの指示を入力してもよい。キー解析部１０１は、ユーザから入力された入力内容がメール送信情報の呼び出しの指示を示す指示情報であると認識し、メール作成部１０６へ、メール送信情報の呼び出しの指示を出す。
【００４９】
キー解析部１０１からメール送信情報の呼び出しの指示を受けて、メール作成部１０６は、指定されたメール送信情報をメール送信情報データベース１２から読み出し（ステップＳ４）、読み出したメール送信情報に基づいてメールを新たに作成する（ステップＳ５）。ここで、まずメール送信情報に基づいて作成したメールにタイトルと宛先と本文と送信者を入力する。次に、メール作成部１０６は、メール送信情報の添付ファイル情報に、添付ファイルの作成方法を示す情報が登録されている場合には、添付ファイル情報に基づいて特定される制御の指示を装置制御部１０８に行う（ステップＳ６のＹｅｓ）。
【００５０】
メール作成部１０６から制御の指示を受けて、装置制御部１０８は、携帯端末機１が備える各種装置を作動させる（ステップＳ７）。例えば、１０秒録音する旨を指示された場合には、マイク装置に対して録音を開始させる制御を行い、１０秒後に録音を終了させる制御を行ってもよい。装置制御部１０８は、装置を作動させた結果生成されたデータ（音声、画像、動画データ）を取得したら、メール作成部１０６に制御完了を報告する。
【００５１】
装置制御部１０８から制御完了の報告を待って、メール作成部１０６は、装置制御部１０８から入力されたデータをファイル（音声ファイル、画像ファイル、動画ファイル）に保存し（ステップＳ８）、保存したファイルを添付ファイルとして作成中のメールに入力する（ステップＳ９）。また、メール作成部１０６は、メール送信情報の添付ファイル情報に添付ファイルの作成条件を示す情報が登録されていない場合には、装置の制御の指示は行わず、作成したメールの添付ファイルはなしとする（ステップＳ６のＮｏ）。また、既存のファイル名が登録されている場合には、そのファイル名を持つ既存ファイルを添付ファイルとしてメールに入力してもよい。
【００５２】
次に、メール作成部１０６は、メール送信情報の送信フラグがオンの場合には、作成したメールを送信するようメール送信部１０７にメール送信の指示を出す（ステップＳ１０のＹｅｓ）。メール作成部１０６からメール送信の指示を受けて、メール送信部１０７は、携帯端末機１が備える通信インタフェースを介して、メール作成部１０６が作成した電子メールを送信する（ステップＳ１１）。また、メール送信情報の送信フラグに送信する旨の情報が登録されていない場合には（ステップＳ１０のＮｏ）、メール作成部１０６は、メール送信の指示は行わず、作成中のメールを表示し（ステップＳ１２）、通常のメール作成の動作と同様に、ユーザの操作に応じて変更や送信等を行う。
【００５３】
携帯端末機１は、ユーザのメール送信情報の呼び出し操作の度にステップＳ４からＳ１２までの動作を繰り返す。
【００５４】
また、図４は、本発明による携帯端末機１の動作例（登録日時に自動送信する動作例）を示すフローチャートである。メール作成部１０６は、定期的にメール送信情報データベース１２に記憶されているメール送信情報データベースを読み出す（ステップＳ２１）。メール作成部１０６は、読み出したメール送信情報の日時フラグが登録されている場合には（ステップＳ２２のＹｅｓ）、現在日時と登録日時が一致しているか否かの判定を行う（ステップＳ２３）。現在日時と登録日時が一致している場合には（ステップＳ２３のＹｅｓ）、読み出したメール送信情報に基づいて、メールの自動作成および送信を行う。現在日時と登録日時が一致していない場合には（ステップＳ２３のＮｏ）、何も行わない。また、登録日時が相対的な日時の場合には、一致しているか否かの判定は、登録日時に基づいて導出される日時と一致しているか否かを判定する。メールの自動作成および送信は、図３と同様の動作に従って行う（ステップＳ５〜Ｓ１２）。
【００５５】
以上のように、本実施の形態によれば、頻繁に送信するメール内容をメール送信情報として登録しておくことで、簡単な操作で同一内容や同一宛先のメールを自動作成および送信することができる。また、作成するメールの内容を、タイトルと宛先と本文と添付ファイルとで個別に指定でき、また日時フラグの設定により定期的な送信もでき、さらに作成したメールを送信するか否かも指定できるため、一部重複する内容のメールを頻繁に送信する場合などにも利用でき、より利便性のある自動メール送信機能を提供することができる。
【００５６】
また、図３において、メール送信情報の登録および呼び出しの指示を示す指示情報の入力が、メニュー画面に沿ったキー操作、またはメニューボタンによるキー操作によって行われる例を説明したが、上記のような特定のキー操作だけでなく、複数キーの同時押下であってもよい。キー操作や同時押下を使い分けることによって、複数パターンのメールの作成および送信を可能とする。また、携帯端末機１が音声呼び出し機能を備える場合には、音声呼び出し機能に登録した音声を入力するような音声入力であってもよい。また、メール送信情報の登録および呼び出しをショートカットとして登録し、ショートカットの呼び出しの指示を示す指示情報の入力であってもよい。つまり、ショートカットや音声呼び出しや特定のキー操作によって、メール送信情報の登録および呼び出し動作を行うことで、同一内容または同一宛先となる複数パターンのメールの作成および送信動作を簡単な操作で行うことができる。また、メール送信情報の登録および呼び出しの指示を示す指示情報の入力がキー操作である場合には、一旦そのキー操作を記憶し、キー操作の繰り返しの指示を示す指示情報の入力によってメール送信情報の登録および呼び出し動作を行うことも可能である。そのような場合には、より操作の時間を短縮することが可能となる。
【００５７】
また、携帯端末機１は、予め定められた内容のメール（タイトル、または本文、添付ファイルの内容）を受信した場合に、メールの内容に応じて各種制御を行うことも可能である。例えば、図３に示すステップＳ１またはステップＳ３の動作を、メール解析部１０４が、メール受信部１０３が受信したメールの内容を解析し、メール内容に応じた各種制御の指示を出すことによって行ってもよい。
【００５８】
例えば、タイトルにメール送信情報１の登録の指示を示す指示情報、本文にメール送信情報の各入力項目とその内容とを示す情報とが所定の文法に従って書かれているメールを受信した場合には、メール解析部１０４は、予め記憶された単語辞書に基づいて認識処理することによりメールの内容を解析し、本文に含まれている各入力項目の内容を導出し、各入力項目の内容を持つメール送信情報１を登録する旨の指示を出してもよい。この際、送信元情報を自動作成する際の宛先情報にしてもよい。また、例えば、タイトルにショートカットの呼び出しの指示を示す指示情報、本文にショートカット１を示す情報が所定の文法に従って書かれているメールを受信した場合には、メール解析部１０４は、ショートカット１を呼び出す旨の指示を出してもよい。
【００５９】
また、メールの内容は、予め定めた規定に従い、遠隔制御の指示情報である旨と指示内容がわかる情報であればよく、タイトルに遠隔制御指示を示す情報、添付ファイルに指示内容を示す情報が書かれていてもよい。タイトルと本文に書かれるのではなく、本文のみに書かれていてもよい。また、添付ファイルに制御内容が書かれていてもよい（メール解析部１０４は、添付ファイルの内容を解析することによって、各種制御の指示を行う）。また、文字でなく、記号で書かれていてもよい。以上のように、メール解析部１０４がキー解析部１０１と同様の機能を果たすことによって、メールの内容に応じた各種動作（例えば、メールの作成および送信）が可能なため、遠隔からの細かな制御が可能となる。
【００６０】
また、携帯端末機１は、メール解析部１０４の代わりに文字列解析部を備えていてもよい。文字列解析部は、携帯端末機１が備える文字列読み込み部（図示せず。）が読み込んだ文字列の内容を解析し、メール解析部１０４と同様に、文字列の内容に応じて各種制御を行ってもよい。文字列読み込み部は、例えば、スキャナを介して文字列を、タグリーダを介して文字列を、コンパクトフラッシュ（登録商標）等の外部メモリに記憶されているテキストファイルから文字列を読み込んでもよい。
【００６１】
また、メール作成部１０６は、ユーザが何らかの操作中のためメールの送信、または各種装置の制御が行えない場合には、送信は行わず、送信できなかった旨を表示してもよい。
【００６２】
なお、本実施の形態において、登録手段は、メール送信情報記憶部１０５およびメール送信情報データベース１２によって実現される。指示入力手段は、キー解析部１０１、またはメール受信部１０３とメール解析部１０４、または音声呼び出し機能によって実現される。メール作成手段は、メール作成部１０６によって実現される。メール送信手段は、メール作成部１０６およびメール送信部１０７によって実現される。キー操作情報記憶手段は、割当て情報データベース１１によって実現される。キー操作情報登録手段は、キー操作割当て部１０２によって実現される。文字列解析手段は、メール解析部１０４によって実現させる。装置作動手段およびデータ入力手段は、装置制御部１０８によって実現される。
【００６３】
実施の形態２．
次に、本発明の第２の実施の形態について図面を参照して説明する。図５は、本発明の第２の実施の形態による携帯端末装置の構成例を示すブロック図である。図４に示す携帯端末機１は、キー解析部１０１と、キー操作割当て部１０２と、メール受信部１０３と、メール解析部１０４と、メール送信情報記憶部１０５と、メール作成部１０６と、メール送信部１０７と、装置制御部１０８と、探知反応部１０９とを備える。また、携帯端末機１は、割当て情報データベース１１と、メール送信情報データベース１２とを記憶する記憶領域を備える。また、携帯端末機１は、携帯端末機１と通信可能な測定器２と接続される。図５に示す携帯端末機１は、図１に示す携帯端末機１と比べて、探知反応部１０９が追加されている点、探知反応部１０９に接続されるセンサ３が追加された点、装置制御部１０８と接続される装置が外部の測定器４となった点が異なる。
【００６４】
本実施の形態において、携帯端末機１は、各種センサの反応に応じて、予め登録されているメール送信情報に基づいたメールの作成、および送信を行うことができる。探知反応部１０９は、接続されるセンサに応じたインタフェースを有し、センサ３（音声センサや赤外線センサ等）からの検知信号を受信し、センサが反応した旨をメール作成部１０６に通知する。本実施の形態において、メール送信情報には、図６に示すように、センサを起動するための起動条件を示す情報が追加される。図６は、第２の実施の形態におけるメール送信情報から作成されるメールの説明図である。起動条件は、メールの自動作成を行う条件を示す情報であって、探知反応部１０９が検知するセンサの種類や、センサの状態を登録する。
【００６５】
メール作成部１０６は、センサが反応した旨の通知を受けて、メール送信情報データベース１２からメール送信情報を読み出し、メール送信情報の起動条件に登録されたセンサの種類から判断対象とするセンサを特定し、特定したセンサの状態と起動条件に登録されたセンサの状態とを比較し、メールの自動作成を行うと判断した場合に、メール送信情報に基づいてメールの作成、および送信動作を行う。
【００６６】
また、本実施の形態において、メール送信情報のタイトル情報に、タイトルの作成方法を示す情報が含まれていてもよい。また、本文情報に、本文の作成方法を示す情報が含まれていてもよい。ここで、タイトルおよび本文の作成方法とは、測定装置を作動させて取得するデータをタイトルおよび本文に含める方法を示す情報であって、データの種類やデータの取得条件を含んでいてもよい。測定するデータの種類には、温度、湿度、距離、臭気指数、明度、気流などのように接続する測定器に応じて登録可能とする。
【００６７】
メール作成部１０６は、メール送信情報の項目に、作成条件を示す情報が含まれている場合には、その項目について、装置制御部１０８に制御の指示を出し、結果入力されるデータをその項目に入力してもよい。例えば、温度データが組み込まれた文字列をタイトルに入力することも可能である（組み込み方法は、予め定めた書式にもどいて組み込んでもよいし、作成条件として書式を指定し、指定された書式に基づいて組み込んでもよい。）。なお、添付ファイルの作成方法を示す情報には、測定装置を作動させて取得するデータをファイルに含める方法を示す情報を含んでいてもよい。そのような場合には、第１の実施の形態と同様に、装置制御部１０８から入力されるデータを含むファイルを添付ファイルとして有するメールを作成することも可能である。もちろん、携帯端末機１がマイク装置やカメラ装置、ビデオ装置を備える場合には、それら装置を作動させて取得するデータをファイルに含めるよう登録することで、画像ファイルや音声ファイルも添付ファイルとすることができる。
【００６８】
装置制御部１０８は、接続される測定器４に応じたインタフェースを有し、測定器４に対して制御を行い、制御の結果、測定器４からデータを入力する。また、装置制御部１０８および探知反応部１０９は、センサ３や測定器４が複数接続される場合には、接続されるセンサや測定器ごとにそれぞれ別途備えてもよい。そのような場合には、メール作成部１０６が装置制御部１０８に指示を出す際に、制御する測定器に応じて、指示のだし先を切り替えることによって同様の効果を得ることができる。
【００６９】
本実施の形態において、探知反応部１０９は、プログラムに従って動作するＣＰＵによって実現される。なお、プログラムは、携帯端末機１が備える記憶装置（図示せず。）に記憶される。
【００７０】
次に、センサ、および測定器の具体的な例を用いて、本実施の形態の動作例を説明する。携帯端末機１は、赤外線センサ３と赤外線温度計３と接続される。赤外線センサ３と赤外線温度計３は同一機器であってもよい。例えば、メール送信情報の起動条件として、温度○度以上、または温度警報を示す情報が登録され、添付ファイルとして、温度測定値を含めてファイルを作成する旨の情報が登録される。ここで、携帯端末機１の付近で火事などが起こった場合に、探知反応部１０９は、赤外線センサ３からの温度測定値やアラーム信号を検知し、メール作成部１０６へ通知する。メール作成部１０６は、探知反応部１０９からのセンサ反応の通知を受けて、メール送信情報データベース１２からメール送信情報を読み出し、該当する起動条件が登録されているか否かを判断する。
【００７１】
読み出したメール送信情報の起動条件に、赤外線センサ３から入力される温度測定値やアラーム信号から導出される状態が当てはまる場合には、メール作成部１０６は、メール送信情報に基づいて、メールの作成および送信の動作を行う。メール作成部１０６は、メール送信情報に登録されているタイトル、本文、宛先を作成したメールに入力し、装置制御部１０８へ、温度測定値を取得するよう指示を出す。装置制御部１０８は、メール作成部１０６から温度測定値を取得する指示を受けて、赤外線温度計３を制御する。装置制御部１０８は、現在の温度を測定し、測定した結果を、例えばテキストファイルに保存し、制御完了をメール作成部１０６へ報告する。制御完了の報告を受けたメール作成部１０６は、装置制御部１０８が作成したテキストファイルを作成したメールの添付ファイルとして入力する。以降の動作は第１の実施の形態で示した図３のステップＳ１０〜Ｓ１２の動作と同様である。
【００７２】
このように、携帯端末機１が赤外線センサ３と、赤外線温度計３とを備える場合には、自動メール送信機能を用いることにより、火事をすばやく検知する監視装置として動作させることが可能となる。
【００７３】
また、温度測定値を付加したメールの自動送信の起動は、第１の実施の形態と同様に、ユーザのキー操作や遠隔からのメールによる指示によっても可能である。
【００７４】
次の例では、携帯端末機１は、臭気センサ３と臭気指数測定器４とに接続される。臭気センサ３と臭気指数測定器４は同一機器であってもよい。例えば、メール送信情報の起動条件として、臭気警報を示す情報が登録され、添付ファイルとして、臭気指数測定値を示す情報が登録される。ここで、携帯端末機１の付近でガス漏れなどが起こった場合に、探知反応部１０９は、臭気センサ３からの臭気指数測定値やアラーム信号を検知し、メール作成部１０６へ通知する。メール作成部１０６は、探知反応部１０９からのセンサ反応の通知を受けて、メール送信情報データベース１２からメール送信情報を読み出し、該当する起動条件が登録されているか否かを判断する。
【００７５】
読み出したメール送信情報の起動条件に、臭気センサ３から入力される臭気指数測定値やアラーム信号から導出される状態が当てはまる場合には、メール作成部１０６は、メール送信情報に基づいて、メールの作成および送信の動作を行う。メール作成部１０６は、メール送信情報に登録されているタイトル、本文、宛先を作成したメールに入力し、装置制御部１０８へ、臭気指数測定値を取得するよう指示を出す。装置制御部１０８は、メール作成部１０６から臭気指数測定値を取得する指示を受けて、臭気指数測定器４を制御する。装置制御部１０８は、現在の臭気指数を測定し、測定した結果を、例えばテキストファイルに保存し、制御完了をメール作成部１０６へ報告する。制御完了の報告を受けたメール作成部１０６は、装置制御部１０８が作成したテキストファイルを作成したメールの添付ファイルとして入力する。以降の動作は第１の実施の形態と同様である。
【００７６】
このように、携帯端末機１が臭気センサ３と臭気指数測定器４とを備えて自動メール送信機能を利用することで、ガス漏れをすばやく検知する監視装置として利用することが可能となる。
【００７７】
次の例では、携帯端末機１は、赤外線距離センサ３に接続される。例えば、メール送信情報の起動条件として、距離変動を示す情報が登録され、添付ファイルとして、動画を示す情報が登録される。ここで、携帯端末機１の前を人が横切った場合などに、探知反応部１０９は、赤外線距離センサ３からの距離変動を示す信号を検知し、メール作成部１０６へ通知する。メール作成部１０６は、起動条件として距離変動を示す情報が登録されたメール送信情報に基づき、メールを作成し、所定時間動画を撮影するよう装置制御部１０８へ指示を出す。装置制御部１０８は、動画撮影の指示を受け、携帯端末機１が備えるビデオ装置を制御する。装置制御部１０８は、携帯端末機１の周囲の様子を動画に撮影し、ファイルに保存し、制御完了をメール作成部１０６へ報告する。制御完了の報告を受けたメール作成部１０６は、装置制御部１０８が作成したテキストファイルを作成したメールの添付ファイルとして入力する。以降の動作は第１の実施の形態と同様である。
【００７８】
このように、携帯端末機１が赤外線距離センサ３とビデオ装置を備える場合には、自動メール送信機能を用いることにより、例えば、留守中の侵入者を検知する監視装置として動作させることが可能となる。
【００７９】
また、携帯端末機１が備えるマイク装置を用い、例えばマイク装置に当たる風の音量で気流を測定し、ドアの開閉等の検出する監視装置として利用することも可能である。また、医療機器と接続し、医療機器から警報信号を入力することで異常を検知し、医師や看護師や親族への自動通報装置として利用することも可能である。
【００８０】
また、メール送信情報の起動条件を示す情報が登録された場合に、登録されたセンサと接続される探知反応部１０９にメール送信の起動条件に登録された旨を通知し、探知反応部１０９が起動条件となるセンサの状態とともにメール送信の起動有無を管理してもよい。そのような場合には、探知反応部１０９が受信した検知信号に応じてメール送信の起動有無を判定し、起動する場合のみメール作成部１０６へ通知することができる。
【００８１】
また、センサ３および測定器４は外部機器として接続されるのではなく、携帯端末機１が備えていてもよい。そのような場合には、ユーザの身の回りを監視する警報装置の役割を担うことが出来る。また、例えば、多数の人が異臭を検知して通報するよう登録する場合には、現場の情報が自動的に複数送信され、信頼性の高い情報を集めることができる。逆に、外部の測定器と接続する場合には、遠隔で操作できる監視装置の役割を担うことができ、留守中の防犯対策などに利用可能である。
【００８２】
なお、本実施の形態において、装置作動手段およびデータ入力手段は、装置制御部１０８によって実現される。検知信号入力手段は、探知反応部１０９によって実現される。
【産業上の利用可能性】
【００８３】
本発明は、メール送信機能付き携帯端末装置に利用可能である。また、様々なセンサおよび測定器を備えることで、火災報知システム、医療機器、緊急通報システムにも利用可能である。
【図面の簡単な説明】
【００８４】
【図１】本発明による携帯端末装置の構成例を示すブロック図である。
【図２】メール送信情報から作成されるメールの説明図である。
【図３】本発明による携帯端末機１の動作例を示すフローチャートである。
【図４】本発明による携帯端末機１の動作例を示すフローチャートである。
【図５】第２の実施の形態による携帯端末装置の構成例を示すブロック図である。
【図６】第２の実施の形態におけるメール送信情報から作成されるメールの説明図である。
【符号の説明】
【００８５】
１  携帯端末機
１１  割当て情報データベース
１２  メール送信情報データベース
１０１  キー解析部
１０２  キー操作割当て部
１０３  メール受信部
１０４  メール解析部
１０５  メール送信情報記憶部
１０６  メール作成部
１０７  メール送信部
１０８  装置制御部
１０９  探知反応部
２１  マイク装置
２２  カメラ装置
２３  ビデオ装置
３  センサ
４  測定器
【図１】
0004802599.tif 000002
【図２】
0004802599.tif 000003
【図３】
0004802599.tif 000004
【図４】
0004802599.tif 000005
【図５】
0004802599.tif 000006
【図６】
0004802599.tif 000007